(57)【特許請求の範囲】
【請求項１】
後端部に握部を、先端部に鉤状爪を有する変形「く」の字形細長状部材の中間に位置する山部に支軸を設け、該支軸を共有する二つの変形「く」の字形細長状部材を相互に山部を内側に対に組合せて挟持状体と成し、前記握部を持って手前に引っ張ると前記鉤状爪を有する先端部が紙容器開口部の変形に応じて開脚し、常に前記先端部が閉じる方向にバネ部材を付勢して設け、且つ前記細長状部材先端部近傍の内側において、鉤状爪の位置から所定寸法後退した部位に押し窄め開口時の為の掛止部を設けたことを特徴とする紙容器開口用具。
【請求項２】
前記鉤状爪の内側に滑り止め部を設け、前記細長状部材と共に一体成形し、所望の剛性を有する金属、若しくは合成樹脂のうちの何れかで構成し、前記バネ部材の膨張力または収縮力は紙容器開口予定部の接着力に抗して押し窄め開口可能な強さとしたことを特徴とする請求項１記載の紙容器開口用具。
【発明の詳細な説明】
【０００１】
【発明の属する技術分野】
この発明は、ラミネートされた包装材料を用いて成形された牛乳、その他の飲料用容器等に適応可能な紙容器開口用具に関する。
【０００２】
【従来の技術】
ラミネートされた包装材で成形された容器は、注ぎ口となる開口予定部は加熱圧着され、多少の振動や衝撃では、容易に開かないように密封されており、内容物を別の容器に移す時など一般的には指等で一度所定の方向に押すようにして開き、次いで戻す方向に押し窄めることで、二度の操作で接着部を剥がし、開口するようにしてあるのが通例である。
【０００３】
【発明が解決しようとする課題】
然しながら上述の従来例では、指等に力が入れにくくなった高齢者、老人、などにとっては、扱い難い容器である。
【０００４】
この発明は、上述の点に着目して成されたもので、誰でも、殆ど力を要さず用具を引いたり押し戻したりする簡単な操作で紙容器の開口が可能な紙容器開口用具を提供することを目的とする。
【０００５】
【課題を解決するための手段】
この発明は、下記構成を備えることにより上記課題を解決できるものである。
【０００６】
(１)後端部に握部を、先端部に鉤状爪を有する変形「く」の字形細長状部材の中間に位置する山部に支軸を設け、該支軸を共有する二つの変形「く」の字形細長状部材を相互に山部を内側に対に組合せて挟持状体と成し、前記握部を持って手前に引っ張ると前記鉤状爪を有する先端部が紙容器開口部の変形に応じて開脚し、常に前記先端部が閉じる方向にバネ部材を付勢して設け、且つ前記細長状部材先端部近傍の内側において、鉤状爪の位置から所定寸法後退した部位に押し窄め開口時の為の掛止部を設けたことを特徴とする紙容器開口用具。
【０００７】
（２）前記鉤状爪の内側に滑り止め部を設け、前記細長状部材と共に一体成形し、所望の剛性を有する金属、若しくは合成樹脂のうちの何れかで構成し、前記バネ部材の膨張力または収縮力は紙容器開口予定部の接着力に抗して押し窄め開口可能な強さとしたことを特徴とする前項（１）記載の紙容器開口用具。
【０００９】
【発明の実施の形態】
以下本発明に係る実施の形態を説明する。
【００１０】
図１（ａ）は、本発明に係る実施例１における紙容器開口用具の構成を示す斜視図、（ｂ）は、本発明に係る実施例２における紙容器開口用具の構成を示す斜視図、（ｃ）は、Ａ−Ａ矢視、図２は、本発明に係る紙容器開口用具の作用を示す説明図、（ａ）は斜視図、（ｂ）は側面図、（ｃ）は力の作用説明図、図３は、紙容器の開口状況を示す説明図、（ａ）は平面図、（ｂ）は側面図、図４は、開口前の紙容器形態例を示す斜視図、図５は、開口操作第１段階状況説明図、（ａ）は斜視図、（ｂ）は平面図、図６は、開口操作第２段階状況説明図（中央部から接着面が剥れ始めた状態）、（ａ）は斜視図、（ｂ）は平面図、図７は、開口操作最終段階状況説明図（所定接着面が全て剥れた状態）、（ａ）は斜視図、（ｂ）は平面図である。
【００１１】
以下図面を参照して説明する。
【００１２】
（実施例１）
図１において、後端部に握部１ａ、２ａを、先端部１ｄ、２ｄに鉤状爪１ｂ、２ｂを有する変形「く」の字形細長状部材の中間に位置する山部１ｃ、２ｃに支軸３を設け、該支軸３を共有する二つの変形「く」の字形細長状部材１，２を相互に山部１ｃ、２ｃを内側に対に組み合わせて挟持状体Ｈｇと成し、前記握部１ａ，２ａを持って手前に引っ張ると前記鉤状爪１ｂ、２ｂを有する先端部１ｄ、２ｄが紙容器開口部の変形に応じて開脚し、常に前記先端部１ｄ、２ｄが閉じる方向にバネ部材４を付勢して設け、前記鉤状爪１ｂ、２ｂの内側に例えば凹凸面を有する滑り止め部１ｆ、２ｆを設け、前記細長状部材１，２と共に一体成形し、所望の剛性を有する金属、若しくは合成樹脂等から構成し、前記バネ部材４の膨張力または収縮力は紙容器開口予定部の接着力に抗して押し窄め開口可能な強さとし、更に前記先端部１ｄ、２ｄの内側近傍において、前記鉤状爪１ｂ、２ｂの位置から所定寸法後退した部位に押し窄め開口時の為の掛止部１ｇ、２ｇを設けた構成としてある。
【００１３】
他の符号について、１ｅ，２ｅは握部１ａ，２ａの端部に設けられた手指に対する滑り止めとなる突起部である。１ｈ、２ｈは環状のバネ部材４の両端部を受け止める受け部であり、５はバネ部材４の膨張／収縮時の変形に対し許容する長穴部である。
【００１４】
上述の構成及び図面を参照して作用を説明する。
【００１５】
図２（ａ）、（ｂ）に示すように、対象となる牛乳、ジュース等の液状物の入った紙容器の開け口となる紙容器開口予定部を開ける場合、例えば「ＯＰＥＮ」と印字された部位の下側の屋根状の凹部に、図示するように挟持状体Ｈｇの先端部１ｄ、２ｄに設けられた鉤状爪１ｂ、２ｂを差し込んで引っ掛け、握部１ａ，２ａを手で持って、例えば操作角度θが３０〜４０°の状態で徐々に手前に引っ張ることによって、図３（ａ）、（ｂ）及び図５（ａ）、（ｂ）に示すように、紙容器の開け口のシール部分が剥れてＳａ、Ｓａ′部分が左右に別れて開かれ、更に手前に引っ張って１８０°開口位置より余分に開き、中央部がやや出っ張った状態で、手前に引っ張る操作（開口操作第１段階）を止める。この場合鉤状爪１ｂ、２ｂの内側には滑り止め部１ｆ、２ｆが作用して紙容器から外れることはなく、紙容器開口予定部の開き具合に応じて挟持状体Ｈｇの先端部１ｄ、２ｄが開脚するように構成してある。
【００１６】
次いで、開口操作第２段階として、握部１ａ，２ａの引っ張る操作を止めると、環状のバネ部材４の収縮しようとする力によって、掛止部１ｇ、２ｇが作用点となって、紙容器の開け口Ｓａ，Ｓａ′、Ｓｂ，Ｓｂ′が内側に押し窄められ、開口時と反対に挟持状体Ｈｇとなる紙容器開口用具を押し戻すと、この操作に追従してＳｂ，Ｓｂ′中央部の内貼りシール部分から剥れ始めて、図６（ａ）、（ｂ）に示すように、開口始め、更に挟持状体Ｈｇとなる紙容器開口用具を押し戻す操作を続ける（開口操作最終段階）ことによって、図７（ａ）、（ｂ）に示すように所定の開口が終了する。
【００１７】
（実施例２）
実施例２は、実施例１で用いた挟持状体Ｈｇに対し図１に示すように、握部の形状を変えたものであり、握部１ａ′、２ａ′の断面形状を楕円形、または円形とした変形「く」の字形細長状部材１′、２′から成る挟持状体Ｈｇ′を構成する。
【００１８】
紙容器のシール部の接着力には、ばらつきがあり、実施例１の場合のように完全に最後まで開口する場合もあるが、開口しきれない場合もある。
【００１９】
実際の問題としては、開口部が最後まで開かない場合でも、内容物を注ぎだすには支障がない場合が多い。
【００２０】
然しながら、最後まで開ける必要がある場合は、実施例２の形状にすることによって、開口操作最終段階で断面形状が、楕円形、または円形の握部１ａ′，２ａ′の部分を開け口に差し込んで引っ張ることで、最後まで「開けきる」ことができるようになる。その他は実施例１と同様なので説明を省略する。
【００２１】
また、本発明に係る紙容器開口用具となる挟持状体Ｈｇ、Ｈｇ′を使用することによって、用具を用いて紙容器開口予定部を開脚して１８０°以上に開いた後は、図２（ｃ）に示したように、矢印Ｙ方向に前記用具を押し戻すと、掛止部１ｇ、２ｇが紙容器の開口端Ｓａ、Ｓａ′、Ｓｂ、Ｓｂ′の下部を掛止した状態で、この掛止部位が作用点となり、バネ部材４の収縮しようとする内側向きの力Ｐ０と、前記Ｙ方向への手で押し戻す力Ｐ１の２力の合力Ｐ２が左右両側から同時に作用して、前記用具がＹ方向へ押し戻されるにつれて、開口部中央内側のシールが剥され、図６（ａ）、（ｂ）、図７（ａ）、（ｂ）に示すように、菱形状に紙容器の開口予定部が開いて内容物を注ぎ出すことができるようになる。
【００２２】
尚、掛止部１ｇ、２ｇは、細長状部材１，２、１′、２′と一体成形してもよく、また別体を取り付けるようにしても良い。
【００２３】
尚また、鉤状爪１ｂ、２ｂの内側の滑り止め部１ｆ、２ｆは、所定の摩擦抵抗を有するゴム、または合成樹脂等の弾性体を貼付する構成としても良い。
【００２４】
更に尚、バネ部材４は、環状のバネ部材に限定せず、コイルバネ等から成る弾性体としても良い。
【００２５】
本実施例では、変形「く」の字形細長状部材を用いて挟持状体を形成する紙容器開口用具を構成したが、細長状部材を直線に近い形状とし、二つの近似直線形細長状部材を交叉して設け、交点を支軸として先端部が常に閉じる方向に握部側にバネ部材を付勢して備える構成としても良い。先端部の鉤状爪や開口操作時の掛止部を本実施例の場合と同様に設けることは勿論である。
【００２６】
【発明の効果】
以上説明したように本発明によれば、誰でも、殆ど力を要さず用具を引いたり押し戻したりする簡単な操作で紙容器の開口が可能な紙容器開口用具を提供することが出来る、という効果を呈する。
【図面の簡単な説明】
【図１】（ａ）本発明に係る実施例１における紙容器開口用具の構成を示す斜視図、（ｂ）は、本発明に係る実施例２における紙容器開口用具の構成を示す斜視図、（ｃ）は、Ａ−Ａ矢視
【図２】本発明に係る紙容器開口用具の作用を示す説明図、（ａ）は斜視図、（ｂ）は側面図、（ｃ）は力の作用説明図
【図３】紙容器の開口状況を示す説明図、（ａ）は平面図、（ｂ）は側面図
【図４】開口前の紙容器形態例を示す斜視図
【図５】開口操作第１段階状況説明図、（ａ）は斜視図、（ｂ）は平面図
【図６】開口操作第２段階状況説明図（中央部から接着面が剥れ始めた状態）、（ａ）は斜視図、（ｂ）は平面図
【図７】開口操作最終段階状況説明図（所定接着面が全て剥れた状態）、（ａ）は斜視図、（ｂ）は平面図
【符号の説明】
１，２、１′、２′  変形「く」の字形細長状部材
１ａ、２ａ、１ａ′、２ａ′  握部
１ｂ、２ｂ  鉤状爪
１ｃ、２ｃ  山部
１ｄ、２ｄ  先端部
１ｅ，２ｅ  突起部
１ｆ、２ｆ  滑り止め部
１ｇ、２ｇ  掛止部
１ｈ、２ｈ  受け部
３  支軸
４  バネ部材
５  長穴部
θ  操作角度
Ｈｇ、Ｈｇ′  挟持状体
【図１】
0003629445.tif 000002
【図２】
0003629445.tif 000003
【図３】
0003629445.tif 000004
【図４】
0003629445.tif 000005
【図５】
0003629445.tif 000006
【図６】
0003629445.tif 000007
【図７】
0003629445.tif 000008